(57)【要約】  非標準的照明の下でソフトプルーフをハードコピープルーフと比較するときに、照明の効果について補償する方法は、調整されたプロファイルに基づいてディスプレイにより生成された装置非依存性色の推定が、所定の許容範囲内の非標準的照明に対応する色とマッチングするまで、標準的照明のディスプレイプロファイルを調整するステップを有する。
2013507041.tif 000002
【特許請求の範囲】
【請求項１】
第１の照明の下で視認されるハードコピープルーフに対してソフトプルーフを比較するときに、照明の効果を補償する方法であって：
印刷色の集合について、標準的照明に対応する装置非依存性色（ＤＩＣ）データを得るステップ；
前記印刷色の集合について、第１の照明に対応するＤＩＣデータを得るステップ；
前記第１の照明において印刷色をより密接に適合するように標準的照明のディスプレイプロファイルを調整するステップ；
前記調整されたプロファイルに基づいて前記印刷色をレンダリングするときに、前記ディスプレイにより生成される装置非依存性色データを推定するステップ；
前記第１の照明に対応する前記印刷色について、前記装置非依存性色データと前記推定されたＤＩＣデータとの間の差分を演算するステップ；
前記差分を減少させるように前記ディスプレイプロファイルを更に調整するステップ；  を有する方法。
【請求項２】
前記調整されたプロファイルに基づいて前記印刷色をレンダリングするときに、前記ディスプレイにより生成されるＤＩＣデータを推定するステップは、各々の色について、前記調整されたディスプレイプロファイルを用いて、標準的照明における前記印刷色についての前記ＤＩＣ座標をディスプレイ色座標に変換するステップと、
前記標準的照明にディスプレイの色を適合させるように生成されたディスプレイプロファイルを用いて、ディスプレイ色座標をＤＩＣ座標に変換するステップと、
を有する、請求項１に記載の方法。
【請求項３】
前記得るステップは、前記印刷色の集合における各々の印刷色について反射スペクトルを決定するステップと、前記標準的照明及び前記第１の照明を用いて前記ＤＩＣデータを演算するステップと、を有する、請求項１に記載の方法。
【請求項４】
第２の照明のためのＤＩＣ値は印刷データが直接放射分光測定から演算される、請求項１に記載の方法。
【請求項５】
前記得るステップは、前記標準的照明又は前記第１の照明に対応するプロファイルから前記ＤＩＣデータを決定するステップを有する、請求項１に記載の方法。
【請求項６】
前記ディスプレイプロファイルを調整するステップは、前記ディスプレイプロファイルに対して領域に特徴的な色度調整を実行するステップを有する、請求項１に記載の方法。
【請求項７】
前記ディスプレイプロファイルを調整するステップは、前記ディスプレイプロファイルに対して黒点調整を実行するステップを有する、請求項１に記載の方法。
【発明の詳細な説明】
【技術分野】
【０００１】
本発明は、Ｄ５０照明をシミュレートするように設計された蛍光管等の不完全な標準的照明の影響をシミュレートするように、現在の正確なディスプレイプロファイルを調整する又はそのプロファイルに対する変換を修正することに関する。
【背景技術】
【０００２】
昼光の挙動（昼光のシミュレーションのためのＤ５０規格等）を模倣するように設計される蛍光管は、照明についての国際的仕様、例えば、ＩＳＯ３６６４の要求に従う。それらの規格は、ハードコピーのプルーフィングの要求に対して最適化されている。これは、色が適合することをＤ５０規格の照明を用いる演算が予測する場合に、インクジェットプルーフ及びプレスシート等の異なる印刷媒体が、昼光シミュレータにより数値的に及び視覚的に適合する必要がある、ことを意味している。
【０００３】
それらの規格は、Ｄ５０シミュレータについてのＤ５０の完全なシミュレーションに関してはあまり厳密でない。例えば、インクジェットプリンタ及び印刷機によって印刷されたべたの黄色は、特定のＤ５０シミュレータについて、緑色の方に５ΔＥだけ移動する可能性がある。その照明においては、２つの色の間の差分が小さい限り、許容可能な近似が更に考慮され得る。
【０００４】
Ｄ５０の相対的シミュレーションに対する絶対的シミュレーションに基づく蛍光管の必要条件は、Ｄ５０シミュレータにおいて視認される印刷画像にディスプレイをマッチングさせるように試みるときに、問題である。この場合、ディスプレイは、理論的なＤ５０により視認される色をシミュレートするように、較正され、プロファイリングされることが可能である。Ｄ５０に対するΔＥのマッチングは、絶対的感覚においてはかなり正確に行われ得る。Ｄ５０シミュレータが実際に、絶対色のレンダリングにおいてかなりのシフトをもたらして、分光的にＤ５０とかなり異なっている場合、Ｄ５０シミュレータにおける印刷画像とディスプレイにおける画像との間にはかなりの差がある。
【０００５】
そのような課題について興味があるひとにとっては、照明のスペクトルを測定し、ＸＹＺ及びＣＩＥＬＡＢの値を再演算し、印刷カラー媒体を特徴付ける新しいＩＣＣプロファイルを生成することにより、この課題に対処することが可能である。この方法の課題は、Ｐａｎｔｏｎｅ（登録商標）のカラーライブラリのリスト等の各々の名付けられた色についてのＣＩＥＬＡＢ値のリストを典型的に含むスポットカラーのデータベース及び視聴環境についてすべてのプロファイルが生成される必要があることである。この課題は、将来は都合がよい可能性があるが、理論的なＤ５０照明によりＣＩＥＬＡＢについて最適化される現在のカラーマネージメントインフラストラクチャにおいては都合はよくない。
【発明の概要】
【発明が解決しようとする課題】
【０００６】
本発明は、標準的な照明とは異なる非標準的な照明の下で視認されるハードコピープルーフとソフトプルーフを比較するときに照明の効果を補償する方法である。図１に示すように、その方法は、印刷色の集合について、標準的照明に対応する装置非依存性色データを得るステップ（１１０）と、印刷色の集合について、非標準的照明に対応する装置非依存性色データを得るステップ（１２０）と、を有する。その方法は更に、ディスプレイに対応する色データから構築されるディスプレイプロファイル及び標準的照明に対応する装置非依存性色データを用いて、ディスプレイに印刷色の集合をレンダリングするときに、各々の色についてディスプレイにおいて測定される第１の装置非依存性色データを推定するステップ（１３０）と、ディスプレイプロファイルが調整される場合に、ディスプレイにおいて測定される第２の装置非依存性色データを推定するステップ（１４０）と、標準的照明に対応する印刷色についての装置非依存性色データと第２の装置非依存性色データとの間の差分を演算するステップ（１５０）と、差分を減少させるようにディスプレイプロファイルを調整するステップ（１６０）と、を有する。
【０００７】
本発明の一特徴に従って、ディスプレイプロファイルは、非標準的照明の下で視認される印刷色のマッチングを容易にするように、色度変化及び／又は黒点変化により調整されることが可能である。
【図面の簡単な説明】
【０００８】
【図１】第１の照明の下で視認されるハードコピープルーフとソフトプルーフを比較するときに、照明の効果を補償する方法を示すフローチャートである。
【図２】非標準的照明の効果をシミュレートするように調整されたＲＧＢプロファイルを決定するプロセッサを示す図である。
【図３】第１の照明の下で視認されるハードコピープルーフとソフトプルーフを比較するときに、照明の効果を補償する方法を詳細に示すフローチャートである。
【発明を実施するための形態】
【０００９】
本発明は、標準的な照明と異なる非標準的な照明の下でソフトプルーフをハードコピープルーフと比較するときに、照明の効果を補償する方法である。図１に示すように、その方法は、印刷色の集合について、標準的な照明に対応する装置に依存しない色データを得るステップ（１１０）と、印刷色の集合について、非標準的な照明又は第１の照明に対応する装置に依存しない色データを得るステップ（１２０）と、を有する。
【００１０】
その方法は、標準的な照明に対応する装置非依存性色（ＤＩＣ）データ及びディスプレイに対応する色データから構成されるディスプレイプロファイルを用いて、印刷色の集合をディスプレイにレンダリングするときに、各々の色についてディスプレイにより生成される第１の装置非依存性色データを推定するステップを更に有する。実施例として、Ｄ５０照明における印刷色について測定されたＤＩＣ値は、Ｄ５０に対して構成されたディスプレイのためのディスプレイプロファイルを用いて、ＲＧＢディスプレイ値に変換されることが可能である。結果として得られる複数のＲＧＢ値は、その場合、同じプロファイルを用いて、複数のＤＩＣ値に変換されることが可能である。結果として得られる複数のＤＩＣ値は、複数の印刷ＤＩＣ値と等しくなり得る、又は、そのプロファイルにおける全範囲マッピングエラー及び／又は補間エラーのために異なり得る。
【００１１】
次に、その方法は、ディスプレイプロファイルが非標準的照明を補償するように調整される場合に、ディスプレイにより生成される第２の装置非依存性色データを推定するステップ（１４０）と、非標準照明又は第１の照明に対応する印刷色についての装置非依存性色データと第２の装置非依存性色データとの間の差分を演算するステップ（１５０）と、その差分を減少させるようにディスプレイプロファイルを更に調整するステップ（１６０）と、を有する。
【００１２】
標準的照明に対応する装置非依存性色データが、印刷色の集合における各々の印刷色についての反射スペクトルを決定し、標準的照明及び第１の照明を用いて装置非依存性色データを演算することにより、得られる。第１の（非標準的）照明についての装置非依存性色データは、第１の照明により照明される印刷片による直接放射分光測定から演算されることが可能である。代替として、装置非依存性色データは、標準的照明又は第１の照明に対応するプロファイルから決定されることが可能である。
【００１３】
一実施形態においては、本発明は、ディスプレイにカラー画像をレンダリングするように用いられるＲＧＢ  ＩＣＣプロファイルの最適化された調整を介して、上記の課題に対処することを提案している。その方法は、図２に示す処理システムを用いて実行され、その図２において、プロセッサ２４０は、例えば、調整されるＲＧＢプロファイルを演算して、第１の照明の効果をシミュレートし、ＲＧＢディスプレイプロファイル２５０が調整された光源を出力させるように、ＸＹＺＤ５０データａ２１０、ＸＹＺＤ５０  Ｓｉｍｕｌａｔｉｏｎデータ２２０（即ち、Ｄ５０ｓｉｍｕｌａｔｉｏｎ＝非標準的照明）及びＲＧＢディスプレイプロファイル２３０を用いる。
【００１４】
その方法は、図３に詳細に示しているように、次のようである。
−  Ｄ５０に設定された標準的な反射測定装置又はある他の選択された参照光源を用いて、印刷色の集合についてＣＩＥＬＡＢ（又は他の測色データ）又は分光反射率データを測定する（３１０）。
−  Ｄ５０シミュレータの照明の下で放出可能な同じ色を測定する、又は、上記のステップでそのように測定される場合に、Ｄ５０シミュレータのスペクトルに分光反射率を乗算することにより予測される放出測定を演算する（３２０）。
−  各々の色について、放出ＸＹＺデータをスケーリングし、最も白い色の反射データと放出データを比較して、その最も白い色のサンプルについて各々のＸＹＺｅｍｉｓｓｉｖｅにＸＹＺｒｅｆｌｅｃｔｉｖｅ／ＸＹＺｅｍｉｓｓｉｖｅを乗算することにより、ＣＩＥＬＡＢを演算する（３２５）。
−  ディスプレイのために、ＲＧＢをＸＹＺに及びＸＹＺをＲＧＢに正確に変換するディスプレイプロファイルを特定する（３３０）。
−  ディスプレイプロファイルの色度、黒点又はそれらの両方を調整する（３４０）。
−  調整されたディスプレイプロファイルを用いてＸＹＺＤ５０の各々の値をＲＧＢｄｉｓｐｌａｙに変換する（３５０）。
−  調整されていないプロファイルにより、ＲＧＢｄｉｓｐｌａｙをＸＹＺａｄｊに変換する（３６０）。
−  ＸＹＺａｄｊとＸＹＺＤ５０  Ｓｉｍｕｌａｔｉｏｎとの間の差分を演算する（３７０）。
−  ＸＹＺａｄｊとＸＹＺＤ５０  Ｓｉｍｕｌａｔｉｏｎとの間の差分が所定の差分より小さいかどうかを判定する（３８０）。
−  その差分が所定の差分より小さい場合、調整されたＲＧＢディスプレイプロファイルを出力して、記憶し、そうでない場合、上記の（３４０）に戻る。
−  ＸＹＺａｄｊ及びＸＹＺＤ５０  Ｓｉｍｕｌａｔｉｏｎが許容範囲内に入るまで、上記処理を続ける。
−  調整されたＲＧＢプロファイルを出力して、照明の効果をシミュレートする（３９０）。
【００１５】
上記のステップ（３５０、３６０及び３７０）は、まるでカラーマネージメントを用いて、次いで、調整の測定される影響を推定するように正確な調整されていないプロファイルを用いて実行されるように、ディスプレイのＲＧＢ値に色を変換することにより、ＲＧＢプロファイルの修正の影響を決定する。これは、好適には、知覚的に均一な色空間において所定値以下にエラーを低減するように、ＸＹＺａｄｊ及びＸＹＺＤ５０  ＳｉｍｕｌａｔｉｏｎをＣＩＥＬＡＢａｄｊ及びＣＩＥＬＡＢＤ５０  Ｓｉｍｕｌａｔｉｏｎに変換することにより達成される必要がある。差分低減処理に対する自動化方法は、色のサンプル集合についてのＣＩＥＬＡＢａｄｊとＣＩＥＬＡＢＤ５０  Ｓｉｍｕｌａｔｉｏｎとの間のΔＥ差分の平方の合計のようなコスト関数を定義し、ＲＧＢディスプレイプロファイルを定義するパラメータを調整することにより所定値以下にそのコスト関数の低減を進めることである。Ｐｏｗｅｌｌの方法のような周知の方法を、コスト関数の自動的な反復するエラー低減を実行するように、用いることが可能である。
【００１６】
本発明の一実施形態においては、標準的なＤ５０照明又はシミュレートされたＤ５０照明を用いて演算されるＬ＊ａ＊ｂ＊の値を用いて構築される印刷色のためのプロファイルを用いることにより、及び、各々のＣＭＹＫ色値をＸＹＺａｄｊ及びＸＹＺＤ５０  Ｓｉｍｕｌａｔｉｏｎに変換し、故に、ステップ３１０及び３２０の結果をシミュレートすることにより、ステップ３１０又は３２０が実行されることが可能である。
【００１７】
ＲＧＢプロファイルへの調整に関して、殆どのＤ５０シミュレータの効果は、各々のＲＧＢチャネルについての色度値ｘ、ｙを調整することにより、有彩色について対処することが可能である。更なる改善は、同一出願人による米国特許出願公開第２００６／０１８１７２３号明細書（Ｅｄｇｅによる）に記載されているＲＧＢガマットの６つのＲＧＢＣＭＹ頂点への選択的調整を実行することにより得られる。最近の試験においては、約１乃至１．５ΔＥの精度の正確さが色度のみを調整することにより得られていて、略０エラーが、ＲＧＢプロファイルのＲＧＢＣＭＹ値を更に調整することにより得られている。
【００１８】
分光測定装置はしばしば、分解能において制限されるため、Ｄ５０照明の下での色の外観とＤ５０シミュレータによる照明の下での色の外観との間のΔＥ差分の実際の大きさは、色の方向では正確になり得るが、大きさにおいては実際より低く評価される。例えば、ディスプレイプロファイルの調整の実行の前に視覚的な差分の真の大きさを捕らえるように、ΔＬ＊、Δａ＊、Δｂ＊等におけるすべての差分を増加させるように、乗算係数を用いることが可能である。実際の試験においては、すべての差分に２を乗算することにより、実際のＤ５０照明を用いることに対する近似された又はシミュレートされたＤ５０照明を用いる真の影響が正確に捕らえられることが理解された。
【００１９】
本発明の他の実施形態においては、更なる補正精度及びコスト関数の低減が、ＲＧＢプロファイルの黒点の値を調整することにより達成される。黒点を調整するための２つの実施例は次のようである。
【００２０】
実施例１：黒点の値をＲＢＰ、ＧＢＰ及びＢＢＰに調整する。放射システムの階調に特徴的な挙動は次のように表される。
Ｒｌｉｎ＝（１．０−ＲＢＰ）ＲＴＲ＋ＲＢＰ                    （式１）
Ｇｌｉｎ＝（１．０−ＧＢＰ）ＧＴＧ＋ＧＢＰ                    （式２）
Ｂｌｉｎ＝（１．０−ＢＢＰ）ＢＴＢ＋ＢＢＰ                    （式３）
線形値ＲＧＢｌｉｎは、その場合、次式のように、赤色チャネル、緑色チャネル、青色チャネルについてのＸＹＺ値を有するマトリクスを介してＸＹＺに変換されることが可能である。
【００２１】
【数１】
2013507041.tif 000003
Ｒｌｉｎ、Ｇｌｉｎ及びＢｌｉｎ並びに色度値を調整することにより、そのプロファイルにおけるＸＹＺ値は、上記のステップ１乃至９についての最適な結果を得るように、修正される。
【００２２】
実施例２：ＸＹＺにおいてＢＰＣ変換を実行する。この第２の方法においては、上記のＲｌｉｎ、Ｇｌｉｎ及びＢｌｉｎの値は変えられないまま保たれ、上記の式４から結果として得られるＸＹＺに変換が適用される。その変換は次式のように表され、
【００２３】
【数２】
2013507041.tif 000004
ここで、次式のようであり、
【００２４】
【数３】
2013507041.tif 000005
添え字“ＷＰ”はディスプレイの白点についてのＸＹＺの値を表し、“ＢＰ”は、黒、即ち、ＲＧＢ＝０におけるＸＹＺの値への補正を表す。従って、上記のステップ１乃至９で最適化される値はＸＢＰ、ＹＢＰ及びＺＢＰである。
【００２５】
上記の色度及び／又は黒点は、各々のＲＧＢディスプレイプロファイルについて別個に実行されることが可能である。代替として、補正が一旦、実行されると、それらの補正はすべてのモニタに対して適用可能であるはずであるため、すべてのプロファイルに適用されることが可能である。それらの補正を普遍的に演算し、適用するように、実施例２において説明している演算が一旦、実行されると、その演算は装置非依存性空間（ＸＹＺ）において実行されるために、すべてのディスプレイに対して適用できる。代替として、実施例１は、ＡｃｏｂｅＲＧＢ１９９８のような中間ＲＧＢ色空間で実行されることが可能である。ＲＧＢＢＰに調整されない上記式４における特定のモニタについてのＲＧＢに調整の値から演算されるＸＹＺの値は、ＡｃｏｂｅＲＧＢのような中間の空間に対して変換されることが可能である。ＲＧＢの中間値は、その場合、上記実施例１で説明している中間の空間にＲＧＢ黒点補正を適用することにより、新しい値ＸＹＺ’に再変換されることが可能である。
【００２６】
上記の手順に続けられる場合でさえ、Ｄ５０により照明される画像と、上記の補正が適用された、モニタ上に表示される画像との間の視覚的差分が尚も存在し得ることに留意する必要がある。換言すれば、放射分光測定装置は、ディスプレイにおける色がライトボックスにおける色に適合することを、測定を介して確認する。これは、人間の観測者の三刺激機能が、特に、略中性色の領域において、即ち、白色、灰色及びかなり濃い青色において、あまり的確でないという可能性によるものである。
【００２７】
本明細書に記載している技術は、照明された印刷色と放射型ディスプレイにおける色との間の測定可能な及び定量化可能な差分に対処するために有効である。それは、暗い、略中性色の領域において人間の観測者の機能における不正確さからもたらされる視覚的差分に対処するためにも、有効である。このような後者の現象は、ＸＹＺ又はＬ＊ａ＊ｂ＊のような標準的なメトリックを介しても尚も解決されていないために、良好な視覚的適合を達成するための視覚的補正手順が必要である。これは、ＲＧＢ又はＸＹＺについての黒点補正が、ＧＴＩライトボックス又はＪｕｓｔＮｏｒｍｌｉｃｈｔライトボックス等の特定の照明源について視覚的に決定されることが可能であり、その補正は、特定のライトボックスがコンピュータのディスプレイにおける画像と印刷されたサンプルを比較するために用いられるときはいつでも、すべてのモニタに適用することができる、ことを意味している。
【００２８】
従って、上記の方法に加えて、ディスプレイにおける画像と、Ｄ５０等のシミュレートされた標準的な光源により照射される印刷画像との間の正確な視覚的適合を保証するシステムについても記載されている。そのシステムは、較正アプリケーションにおいてＧＴＩ又はＪｕｓｔＮｏｒｍｌｉｃｈｔ等の特定の光源ハードウェアをユーザが示すことを可能にする。そのシステムはモニタを較正し、標準的照明においてディスプレイのための正確なＲＧＢプロファイルを生成する。そのシステムは、その場合、非標準的照明において視認されるハードコピーに対する良好な視覚的適合を得るように、プロファイルに補正を適用するように進める。それらの補正は、次のうちの何れか又はすべてを含むことが可能である。
１）標準的照明と非標準的照明との間の測定可能な差分に対処するための白点補正（例えば、Ｄ５０からの白点におけるΔａ＊、Δｂ＊測定可能差分）。これは、例えば、放射装置による中性白色紙から反射される光を測定し、ＸＹＺを演算し、１００．０／Ｙｅｍｉｓｓｉｖｅによりスケーリングし、ａ＊ｂ＊を演算し、シフトをΔａ＊＝ａ＊、Δｂ＊＝ｂ＊であるように規定することにより、実行される。
２）メタメリズムにおける測定可能な差分に対処するための色度補正及び黒点補正。それらの補正は、好適には、上記の測定及びエラー最小化に基づいているが、それらの差分は、調整及び視覚的比較を介して確定されることが可能である。
３）人間の観測者の機能の不正確さからもたらされる測定不可能な視覚的差分に対処するための色度、白点及び黒点補正。一旦、すべての測定された差分が、コンピュータスクリーンにおける表示色と照明の下での参照色との間で最小化されると、何れかの残りの視覚的ミスマッチは、分光データからＸＹＺを演算するために用いられる人間の観測者の機能におけるエラーに起因し得る。所与の照明源に対する複数種類のモニタについて整合するように現れる補正は、その照明が用いられるときはいつでも、その照明に対して寄与して、現れる。特定のディスプレイのために必要であるように現れるが、他のディスプレイについてはそうでないように現れる補正は、そのディスプレイが用いられるときはいつでも、そのディスプレイの一意の特定の特性に寄与して、現れる。
【００２９】
従って、必要である補正のカテゴリは次のようである。
１）照明に基づいて白点における測定可能な差分のための補正は次のようである。
Δａ＊ｗｐΔｂ＊ｗｐ
この補正は、ディスプレイの白点に適用される。
２）各々の照明源のための測定可能なメタメリズムについての補正は次のようである。
（ΔｘΔｙ）ｉｍ  （ここで、ｉはＲ、Ｇ及びＢを表す）
（ΔＸΔＹΔＺｙ）ｉｍ  （ここで、ｉはＲ、Ｙ、Ｇ、Ｃ、Ｂ及びＭを表す）及び
ＢＰＣｉｍ  （ここで、ｉはＲ、Ｇ、Ｂ又はＸ、Ｙ、Ｚを表す）
３）不完全な人間の観測者の機能のための補正は下記のようである。人間の観測者の機能におけるエラーに対処するための補正及び演算については、同一出願人による、米国特許第７，２０９，１４７号明細書、米国特許第７，２１５，３４３号明細書及び２００９年７月３１に出願された米国出願公開第１２／５３３，３１３号明細書において記載されている。一般に、上記の補正は、視覚的マッチングツール（例えば、ハードコピーの色と適合する表示色について装置非依存性色値をユーザが識別する／特定することを可能にするフォトショップ又は他のツール）を用いてメタメリズムについての補正に類似する方法で行うことが可能である。
Δａ＊ｗｘｙｚΔｂ＊ｗｘｙｚ
（ΔＸΔＹΔＺｙ）ｉｘｙｚ  （ここで、ｉはＲ、Ｙ、Ｇ、Ｃ、Ｂ及びＭを表す）及び
ＢＰＣｉｘｙｚ  （ここで、ｉはＲ、Ｇ、Ｂ又はＸ、Ｙ、Ｚを表す）
不完全な人間の観測者の機能のための補正は、各々の照明のカテゴリ（例えば、ＧＴＩ照明又はＪｕｓｔＮｏｒｍｌｉｃｈｔ照明）について、及びディスプレイモデルの各々のカテゴリ（例えば、Ａｐｐｌｅ  ２３”  Ｃｉｎｅｍａ  Ｄｉｓｐｌａｙ又はＥｉｚｏ  ＣＧ３０１Ｗ  ３０”  ｄｉｓｐｌａｙ）について別個に記憶され、適用される。一部の場合には、特定のカテゴリの一部のモニタはまた、モニタに関する分光的変動のための視覚的補正を必要とする場合がある。
【図１】
2013507041.tif 000006
【図２】
2013507041.tif 000007
【図３】
2013507041.tif 000008
【国際調査報告】
2013507041.tif 000009